Podtech/llm-jp-corpus-v4-ja_patent huggingface dataset:
(57)【要約】      （修正有）【課題】カバンや手荷物などの盗難や置き忘れを報知する無線式警報装置において、３１５ＭＨｚ帯の通信では消費電流が大きくなり、電池寿命が短くなる。また、２．４ＧＨｚ帯の通信では人体による電波の遮蔽や環境による反射波の影響が大きく、誤動作が多発する。これらの不具合をともに回避できる無線式警報装置を提供する。【解決手段】通常、親機１と子機２は２．４ＧＨｚ帯の信号を送受信して双方向通信を行い、通信が途切れると子機は３１５ＭＨｚ帯の信号を送信し、親機はその信号を受信して通信を行い、２．４ＧＨｚ帯の通信が回復した場合は、３１５ＭＨｚ帯の通信は止め、２．４ＧＨｚ帯の通信が回復せずに３１５ＭＨｚ帯の通信も途切れた場合は、親機が警報を発生する。【選択図】図３
0003188198.tif 000002
【実用新案登録請求の範囲】
【請求項１】
親機と子機で構成される無線式警報装置において、通常、親機と子機は２．４ＧＨｚ帯高度化小電力データ通信システム（以下２．４ＧＨｚ帯と記す）の信号を送受信して双方向通信を行い、通信が途切れると子機は３１５ＭＨｚ帯微弱電波（以下３１５ＭＨｚ帯と記す）の信号を送信し、親機は３１５ＭＨｚ帯の信号を受信して通信を行い、２．４ＧＨｚ帯の通信が回復した場合、３１５ＭＨｚ帯の通信は止め、２．４ＧＨｚ帯の通信が回復せずに３１５ＭＨｚ帯の通信も途切れた場合、親機が警報を発生する無線式警報装置。
【考案の詳細な説明】
【技術分野】
【０００１】
本考案は、カバンや手荷物などの盗難や置き忘れを報知する無線式警報装置に関するものである。
【背景技術】
【０００２】
図１と図２は、従来の無線式警報装置の構成を示した概要図である。図１は親機１と子機２で構成され、子機２は３１５ＭＨｚ帯微弱電波（以下３１５ＭＨｚ帯と記す）の信号を３１５ＭＨｚ帯送信部４から送信し、親機１は３１５ＭＨｚ帯の信号を３１５ＭＨｚ帯受信部５で受信して通信を行い、親機１と子機２が離れて通信が途切れた場合、親機１は警報としてブザー３を鳴動させるというものである。子機２を人が携帯し、親機１をカバンや手荷物などに取り付けることで盗難や置き忘れを報知する。
【０００３】
図２は親機１と子機２で構成され、親機１と子機２はそれぞれの２．４ＧＨｚ帯高度化小電力データ通信システム（以下２．４ＧＨｚ帯と記す）送受信部６で信号を送受信して双方向通信を行い、親機１と子機２が離れて通信が途切れた場合、親機１は警報としてブザー３を鳴動させるというものである。図１の従来の無線式警報装置と同様に子機２を人が携帯し、親機１をカバンや手荷物などに取り付けることで盗難や置き忘れを報知する。
【考案の概要】
【考案が解決しようとする課題】
【０００４】
図１のような３１５ＭＨｚ帯の通信では消費電流が大きくなり、電池寿命が短くなるという不具合があった。また、図２のような２．４ＧＨｚ帯の通信では人体による電波の遮蔽や環境による反射波の影響が大きく、誤動作が多発するという不具合があった。
【課題を解決するための手段】
【０００５】
上記課題を解決するため本考案は、通常、親機と子機は２．４ＧＨｚ帯の信号を送受信して双方向通信を行い、通信が途切れると子機は３１５ＭＨｚ帯の信号を送信し、親機は３１５ＭＨｚ帯の信号を受信して通信を行い、２．４ＧＨｚ帯の通信が回復した場合３１５ＭＨｚ帯の通信は止め、２．４ＧＨｚ帯の通信が回復せずに３１５ＭＨｚ帯の通信も途切れた場合、親機が警報を発生する。
【考案の効果】
【０００６】
本考案は通常２．４ＧＨｚ帯で通信を行うため低消費電流化が実現し、２．４ＧＨｚ帯で通信できないときは３１５ＭＨｚ帯で通信を行うので２．４ＧＨｚ帯での誤動作を回避し、安定した動作となる。
【図面の簡単な説明】
【０００７】
【図１】従来の無線式警報装置の構成を示した概要図である。
【図２】従来の無線式警報装置の構成を示した概要図である。
【図３】本考案の無線式警報装置の構成を示した概要図である。
【考案を実施するための最良の形態】
【０００８】
図３は本考案の無線式警報装置の構成を示した概要図である。親機１は２．４ＧＨｚ帯送受信部６と３１５ＭＨｚ帯受信部５とブザー３を内蔵し、子機２は２．４ＧＨｚ帯送受信部６と３１５ＭＨｚ帯送信部４を内蔵している。
通常、親機１と子機２はそれぞれの２．４ＧＨｚ帯送受信部６で２．４ＧＨｚ帯の信号を送受信して双方向通信を行い、通信が途切れると子機２は３１５ＭＨｚ帯の信号を３１５ＭＨｚ帯送信部４から送信し、親機１は３１５ＭＨｚ帯の信号を３１５ＭＨｚ帯受信部５で受信して通信を行い、２．４ＧＨｚ帯の通信が回復した場合、３１５ＭＨｚ帯の通信は止め、２．４ＧＨｚ帯の通信が回復せずに３１５ＭＨｚ帯の通信も途切れた場合、親機が警報としてブザー３を鳴動させる。
【０００９】
子機２を人が携帯し、親機１をカバンや手荷物などに取り付けることで盗難や置き忘れを報知する。
【００１０】
図３では警報としてブザー３を使用したが、ライトや振動など報知できるものを使用してもよい。
【符号の説明】
【００１１】
１・・・親機
２・・・子機
３・・・ブザー
４・・・３１５ＭＨｚ帯送信部
５・・・３１５ＭＨｚ帯受信部
６・・・２．４ＧＨｚ帯送受信部
【図１】
0003188198.tif 000003
【図２】
0003188198.tif 000004
【図３】
0003188198.tif 000005
(57)【要約】      （修正有）【課題】点滴やチューブに繋がれた患者が自身で更衣が出来、又診察などで開端部を全開してもラジャーが残り、女性の羞恥心を緩和できる衣類を提供する。【解決手段】衣類１は、人体に合わせて形成された本体１０と、本体身頃両脇に固定されたブラジャー３０とを備え、本体にはその一部を開閉可能に分割する開端部２０が形成されている。開端部２０は、本体の前身頃１１と袖１３を貫いている。開端部が開かれても、ブラジャーが人体の胸部を覆っている衣類である。【選択図】図１
0003188135.tif 000002
【実用新案登録請求の範囲】
【請求項１】
人体に合わせて形成された本体と、本体に固定されたブラジャーとを備える衣類であって、本体にはその一部を開閉可能に分割する開端部が形成され開端部が開かれても、ブラジャーが人体の胸部を覆っている衣類。
【請求項２】
開端部は、本体の前身頃と袖を貫く請求項１に記載の衣類。
【考案の詳細な説明】
【技術分野】
【０００１】
本考案は病気療養中や手術後、点滴やチューブに繋がれた状態でも簡単に更衣が出来、ブラジャー機能が付いた衣類に関するものである。
【背景技術】
【０００２】
従来の衣類は療養中及び外科手術後の更衣に於いて、点滴やチューブに繋がれた状態の患者は、看護師がその都度点滴やチューブを外し、袖や身頃に通し直して着替えさせる、又は身頃の下から出す。
【０００３】
療養中の女性は胸部を締め付けるブラジャーをせず、ゆったりと過ごしたい、しかし従来の衣類ではブラジャーの付いた物は有るが、点滴やチューブに繋がれた状態では更衣出来ない。
【先行技術文献】
【特許文献】
【０００４】
【特許文献１】特開２００８―１０６４０９号公報
【０００５】
身頃から袖までを貫く開端部を有する衣類は有るが、ブラジャーが付いていない為受診時に開端部を開くとは胸が露わになる。
【０００６】
このように既存の衣類は女性の羞恥心対する配慮に欠けている。
【考案の概要】
【考案が解決しようとする課題】
【０００７】
本考案は受診時に於ける女性の羞恥心に対して配慮が出来る衣類を提供することを課題とする。
【課題を解決するための手段】
【０００８】
本考案に係る衣類は、人体に合わせて形成された本体と、本体に固定されたブラジャーとを備える衣類であって、本体にはその一部を開閉可能に分割する開端部が形成され開端部が開かれても、ブラジャーが人体の胸部を覆っている。
また、本考案の衣類は、開端部が、本体の前身頃と袖を貫く。
【考案の効果】
【０００９】
本考案によれば受診時に於ける女性の羞恥心に対して配慮出来る衣類を提供できる。
【図面の簡単な説明】
【００１０】
【図１】本考案の形態に係る衣類を説明する図である。
【考案を実施するための形態】
【実施例】
【００１１】
以下、実施例を説明する。以下の説明では、衣類１をパジャマ上着に適用した例を説明する。
【００１２】
人体に合わせて形成された本体10と、本体10に固定されたブラジャー30とを備える衣類1は、本体10にはその一部を開閉可能に分割する開端部20が形成され、開端部20が開かれても、ブラジャー30が人体の胸部を覆っている。
【００１３】
図１の本体10は  前身頃11・肩山12・袖13・裾14・脇15を備える。
【００１４】
袖13は袖口13-1と袖口13-2を有する。裾14は裾14-1を有する。
【００１５】
脇15は脇15-1・15-2・15-3を有する。本体は衿及び袖を設けても設けなくとも良い。
【００１６】
本形態に於いて開端部20は裾14-1から脇上部15-1を通り袖口13-1まで貫く。
【００１７】
開端部20は一端にボタンAが設けてあり他端にボタン穴A’が設けてある。
【００１８】
開端部20はボタンAをボタン穴A’に入れる事により連結する。
【００１９】
ブラジャー30は本体10の身頃左脇15-2及び身頃右脇15-3に固定された布であり前中心が開閉自在に形成されている。
【００２０】
ブラジャー30の前中心には一端にボタンBが設けてあり、他端にボタン穴B’が設けてある。
【００２１】
上記実施例では本体10を左側開きの例を示したが、右側開き・肩開き・脇開き・前中心・後ろ中心等開口可能部の全てを全開きにしてもよい。又本体10はデザインにより斜めに開いても良い。
【００２２】
ブラジャー30は実施例では前中心で開くが脇で開いても良い。
【００２３】
ブラジャー30は実施例では身頃脇上部に縫い付けてあるが、着脱出来ても良い。
【００２４】
丈の長さは実施例ではショート丈であるが丈の長さは任意とし、ウエスト丈・腰丈・ロング丈・パンツと連結させるなどデザイン用途等により変更してもよい。
【００２５】
袖13の長さは任意としまた設けても設けなくても良い。
【００２６】
本体10及びブラジャー30の素材は実施例ではニット綿素材であるがその他布帛全般及びレース・皮革・ストレッチ素材・合成皮革・不織布・フリース・ナイロンクロス・ビニール等でもよい。
【００２７】
上記実施例では開端部を留め具としてのボタンとボタン穴とで連結しているが、開端部を連結する留め具は、任意の材料を用いる事が出来る。留め具はデザイン、素材、用途によりホック・ループ・鍵ホック・ファスナー・紐・リボン・バックル・ジョイント金具・面ファスナー等に変更してもよい。
【００２８】
本体10及びブラジャー30の開端部は実施例ではボタンで開閉自在としているが、ホックや紐・リボン・ジョイント金具・ファスナー・面ファスナー・ループ留め等に変更してもよい。
【００２９】
実施例では本体10・ブラジャー30共に留め具としての、ボタン穴とボタンで開閉自在としているがこれらの開端部は各々別の留め具により開閉自在としても良い。
【００３０】
袖口13-2は、実施例では開閉しない方は筒縫いであるがデザイン上筒縫い以外の形状でもよい
【００３１】
上記実施例によれば、以下の作用効果を奏する。
（1）療養中、自身で開端部を開閉し手術後や疼痛時及び麻痺した腕を動かさなくて済むので、介護者の手を借りずに自身での更衣が出来る可能性がある。
（2）身頃と袖を貫く開端部を開閉する事により点滴やチューブを外さず更衣が出来る。
（3）介護者の着脱補助に於いて患部の痛みに対する配慮が軽減される。
（4）診察や検査等、部分露出が必要な時にも必要な開端部を開けるだけで簡便に診察・検査が可能である。開端部の結合部品をすべてプラスチック素材にすればX線検査も可能となる。
（5）開端部を全開した時に身頃に備え付けられたブラジャーは女性の羞恥心を和らげる。
（6）軽衣料（肌着、キャミソール、パジャマ、室内着〈ガウン等〉）・中衣料（ブラウス、シャツ類）他運動用スエット等全てのアイテムに採用可能であると共に多様なデザインが考案可能である
（7）パンツ  「実用新案登録  第3180551号  考案者  吉川  惠子  」と「８月２４日出願の衣類」との組み合わせや連結したデザインによりあらゆる術後のリハビリ患者・障害・麻痺・疼痛・後遺症に悩む方々の幅広いニーズに答えられる可能性が有る。
【符号の説明】
【００３２】
１    衣類
１０  本体
１１  前身頃
１２  肩山
１３  袖
１４  裾
１５  脇
３０  ブラジャー
２０  開端部
【図１】
0003188135.tif 000003
(57)【要約】      （修正有）【課題】階段昇降時に、ひざや足への体重負担を軽減するために、スプリングを利用して、弾力効果を付与した階段に使用する階段昇降補助具を提供する。【解決手段】階段の各段に取付ける階段昇降補助具であって、同階段の各段板床面に上下方向に弾性発現可能な弾力性のあるスプリング２を取付けたスプリング台座５を介して踏み板を装着し、スプリング２の一端をスプリング台座５に固着し、スプリング２の他端側をスプリング台座５にスライド可能に装着し、踏み板上面部に水平部分を形成し、階段昇降者の傾斜踏み板の不安感を一掃する。【選択図】図１
0003188124.tif 000002
【実用新案登録請求の範囲】
【請求項１】
階段の各段に取付ける階段昇降補助具であって、階段の各段板床面に上下方向に弾性発現可能な弾力性のあるバネ部材を取付けた台座を介して踏み板を装着した階段昇降補助具で、前記バネ部材の一端を前記台座に固着し、同バネ部材の他端側を前記台座にスライド可能に装着した階段昇降補助具において、前記踏み板上面部に水平部分を形成したことを特徴とする階段昇降補助具。
【請求項２】
上記階段昇降補助具の踏み板下部に捩れコイルばねを、前記踏み板下部の丸捧装着板に穿孔のピン挿入穴に、捩れコイルばね強弱調整ピンを挿入して取付けたことを特徴とする請求項１に記載の階段昇降補助具。
【考案の詳細な説明】
【技術分野】
【０００１】  本考案は、階段昇降時に、ひざや足への体重負担を軽減するために、スプリングを利用して、弾力効果を付与した階段に使用する改良踏み板に関するものである。
【背景技術】
【０００２】  ある程度の個人差はあるが、誰でも年を重ねる度に、ひざや足が弱り、歩行や階段の昇降が困難で、苦痛となっている。そのため、従来は、コイルスプリングを用いた階段昇降具が市販されているが、独立懸架機構が採用されているために、安定性が乏しくほとんど使用されていない。
【先行技術文献】
【特許文献１】  実用新案登録第３１６６１６４号公報
【考案の開示】
【考案が解決しようとする課題】
【０００３】  本考案者は、従来の階段昇降補助具の欠点や課題を鋭意研究した結果、ひざや足への負担軽減を可能にする階段昇降補助具を提供することができた。そこで、試作製品を試乗用階段に搭載し、試乗体験をしてもらい試乗者にアンケートをお願いしたところ、階段に取付けた踏み板が傾斜しているため、若干、怖い感じがするとの意見があり、本考案者がその不具合を解消する改良踏み板を考案した。
【課題を解決するための手段】
【０００４】本考案は、階段の各段に取付ける階段昇降補助具であって、階段の各段板床面に上下方向に弾性発現可能な弾力性のあるバネ部材を取付けた台座を介して踏み板を装着した階段昇降補助具で、バネ部材の一端を台座に固着し、同バネ部材の他端側を台座にスライド可能に装着した階段昇降補助具において、踏み板上面部に水平部分を形成し、階段昇降者の傾斜踏み板の不安感を一掃した階段昇降補助具である。更に、階段昇降補助具の踏み板下部に捩れコイルばねを、踏み板下部の丸捧装着板にピン挿入穴を穿孔して、ピン挿入穴に、捩れコイルばね強弱調整ピンを挿入して取付けた。【０００５】
【考案の効果】
【０００６】  以上のように、本考案に係る階段昇降補助具の踏み板上面部に水平部分を形成し、階段昇降者の傾斜踏み板の不安感を一掃出来た。更に、階段昇降補助具の踏み板下部に捩れコイルばねを、前記踏み板下部に複数穿孔のピン挿入穴に、捩れコイルばね強弱調整ピンを挿入したことにより、踏み板の傾斜角に応じて捩れコイルばねの強弱が調整可能になった。【０００７】
【図面の簡単な説明】
【０００８】
【図１】本考案に係る階段昇降補助具の基本要部を示す斜視図
【図２】本考案に係る階段昇降補助具の踏み板の上面部に載置した昇降安定水平部材を示す一部切欠きの斜視図
【図３】図２に図示の階段昇降補助具の踏み板の作動状況を示す側面図
【図４】階段昇降補助具の屈曲踏み板を示す斜視図
【図５】本考案に係る階段昇降補助具の踏み板に踏み板の角度を調整する捩れコイルばねを配置した状況を示す斜視図である。
【考案を実施するための最良の形態】
【０００９】  本考案に係る階段昇降補助具の具体例を図１から図５を参照して以下説明する。
【実施例】
【００１０】  本実施例では、図１に図示する如くＬ字状のスプリング台座５の基部に、スプリング（ピアノ線）２の一端を取付けたあと、図１と図２に図示する如くスプリング（ピアノ線）２の他端側を、踏み板装着捧６のスライド式穴（スプリング挿入孔）６Ａにスライド可能に挿入し、踏み板装着捧６に踏み板装着ネジ６Ｂを介して踏み板８を締付けた。図３は、階段昇降補助具の踏み板８上部に装着した屈曲水平昇降安定部９と、Ｌ字状のスプリング２の屈曲状況を示している。図中の符号１は踏み板取付板を、符号７は段板取付板を、符号１０は滑り止めを、符号１１は階段を示している。次に、図４は、階段昇降補助具の踏み板８を屈曲踏み板８Ａとした事例を図示している。【００１１】  図５は本考案に係る階段昇降補助具の踏み板８に、踏み板８の角度を調整する捩れコイルばね１２を、丸捧装着板４に固着の軸支丸捧３に挿入し、踏み板下部の丸捧装着板４に穿孔のピン挿入穴１４に、捩れコイルばね強弱調整ピン１３を挿入して取付けたことにより、踏み板上面部の水平部分の角度を各階段の傾斜角に応じて調整可能とした状況を図示している。図中の符号１５は踏み板設置台座を、符号１６は階段骨組骨格を示す。
【符号の説明】
【００１２】  １  踏み板取付板
２  スプリング（ピアノ線）
３  軸支丸捧
４  丸捧装着板
５  スプリング台座
６  踏み板装着捧
６Ａ  スライド式穴（スプリング挿入孔）
６Ｂ  踏み板装着ネジ
７  段板取付板
８  踏み板
８Ａ  屈曲踏み板
９  屈曲水平昇降安定部
１０  滑り止め
１１  階段
１２  捩れコイルばね
１３  捩れコイルばね強弱調整ピン
１４  ピン挿入穴
１５  踏み板設置台座
１６  階段骨組骨格（骨組）
【図１】
0003188124.tif 000003
【図２】
0003188124.tif 000004
【図３】
0003188124.tif 000005
【図４】
0003188124.tif 000006
【図５】
0003188124.tif 000007
(57)【要約】      （修正有）【課題】作業性を改善させて精度を上げ防水性を改善させる中空建築ブロックを提供する。【解決手段】中空建築ブロックの天１に突起部５を設け、地２にその突起部に勘合する凹部６を設け更に端部４の一方に突起部７を設け反対側にはその突起部に勘合する凹部８を設け、更に、コンクリートを鉄筋の周囲に充分な量や厚さを与える目的で、鉄筋の被り対策としてマクラ１２を設けた。【選択図】図１
0003188122.tif 000002
【実用新案登録請求の範囲】
【請求項１】
縦に垂直に積み重ねてブロック群を構成し、横に積み並べてブロック群を講成することに使用する中空建築ブロックであって、該ブロックの天に突起部と地に勘合可能な凹部を設け更に長手方向の端面双方に凹部を設けるか、片方端面に突起部を設け反対側端面に勘合可能な凹部を設けてなる中空建築ブロック。
【請求項２】
請求項１の天突起部と地凹部に長手方向の側面に下降する傾斜面を設けてなる中空建築ブロック。
【請求項３】
請求項１及び請求項２に横筋用溝部に少なくとも１ケ以上のマクラを設け、更に縦筋用貫通穴や端面突起部と相手方の端面凹部が重なり合った時に生じる中空穴に少なくとも１ケ以上のマクラを設けた中空建築ブロック。
【考案の詳細な説明】
【考案の詳細な説明】
【技術分野】
【０００１】中空建築ブロック
【背景技術】
【０００２】従来の中空建築ブロックは作業者の技術力によりその仕上がり精度に大きな差が生じていた。
又水平度、垂直度、メジ幅の不均一や仕上がりの良し悪しが極端に現れてしまっていた。鉄筋のサビ防止に影響のある被りも作業者の不注意や不慣れで不十分であった。
【考案が解決しようとする課題】
【０００３】建物の仕上がり精度を向上させる為に個人差が少なく作業性の良い中空建築ブロックを考案することにある。
又、建物の強度を長期間維持する為の中空建築ブロックを考案することにある。
【課題を解決するための手段】
【０００４】中空建築ブロックの天に突起部と地に天の突起部に勘合する凹部を計画的に設け、更に長手方向の端面にも突起部と凹部を計画的に設けた。又突起部の両側面に下降する傾斜面を設け凹部の両内面から両側面に下降する傾斜面を設けた。コンクリートは圧縮強度が強く、鉄筋は引張強度が強いことからその特徴を最大限利用する為にコンクリートを鉄筋の周囲に十分な量や厚さを与える事を目的に縦筋用と横筋用に計画的にマクラを設けた。
【考案を実施するための形態】
【０００５】中空建築ブロックのサイズを幅１５センチメートル長さ４０センチメートル高さ２０センチメートルとした。
天には長手方向の側面両方に１センチメートル幅深さ３センチメートルの切り欠きを設けると突起部が生じる。両側面の切り欠き部底面の角から両側面側に下降する傾斜面を設け更に幅中央から振り分け寸法で６センチメートル深さ６センチメートルの横筋用溝を設け更に長さの中央から振り分け寸法で６センチメートル角の天地に貫通する縦筋用貫通穴を設け、更に貫通穴の両サイドの適当な位置に高さ２センチメートルの被りに必要なマクラを設けた。
地には天の突起部に勘合する凹部を深さ２センチメートル設けその両上面角から１センチメートル下から両側面側に下降する傾斜面を設けた。
【実施例】
【０００６】考案の実施の形態から中空建築ブロックの種類を５種類の型式を設けた。１，ストレート型  ２，コーナー型  ３，半コーナー型  ４，ティー型  ５，傾斜型
【考案の効果】
【０００７】本考案の目的は第１に風雨等による外部からの水の侵入を防止した。
水侵入の原因は不良工事によるものであったり、ヒビ、割れ等であったり多くの原因が考えられるが本案は各所に設けた突起部と凹部を勘合させ下降する傾斜面を中空建築ブロックの天と地に設ける事で水切り効果が向上した。第２に作業者の技術不足による不良工事を天地左右の勘合方式で仕上がり精度が向上した。第３に鉄筋のサビによる各種の不具合が発生していたものを本案はコンクリートを鉄筋の周囲に十分な厚さが確保出来るよう２センチメートルの高さのいわゆるマクラを設けたことで鉄筋のサビの発生が減少した。
第１、２、３を実施したら水漏れが防止され仕上がり精度も向上し更に作業性も向上し建物の寿命も伸びた。
【図面の簡単な説明】
【図１】ストレート型で端面が凹部と突起部の付いた正面図と上面図と側面図である。
【図２】傾斜型とストレート型の実施例の断面図である。
【符号の説明】    １  天
２  地
３  側面
４  端面
５  天突起部
６  地凹部
７  端面突起部
８  端面凹部
９  傾斜面
１０  横筋用溝
１１  縦筋用貫通穴
１２  マクラ
１３  ストレート型
１４  傾斜型
【図１】
0003188122.tif 000003
【図２】
0003188122.tif 000004
(57)【要約】      （修正有）【課題】写真撮影時に、三脚の代用となるだけでなく、片手で簡単にメールや検索の入力ができるようになるスマホ用ストラップを提供する。【解決手段】ストラップはスマホによるセルフタイマー撮影をどこでも簡単にセットできるように、吸盤中央の突起部分がペンチ状になっていてスマホの側面を挟むことにより、スマホ本体を直立させることができる。また片手でスマホの親指と人差し指を自由に操作できるように、吸盤をスマホ裏に吸着し、突起部分を人差し指と中指、又は中指と薬指で挟み固定できる。さらにテーブル上で両手を使いパソコン感覚で使えるように吸盤中央の突起部分を支えにしてスマホを固定できる。【選択図】図２
0003188103.tif 000002
【実用新案登録請求の範囲】
【請求項１】
スマホの裏側に脱着可能な吸盤を有し、吸盤に接続された紐からなる事を特徴とするスマホ用のストラップ。    
【請求項２】
吸盤中央の突起部分の中央部が分割されスマホを挟んで固定できすることによりスマホを直立させて撮影することができる事を特徴とする請求項1記載のスマホ用のストラップ。
【請求項３】
吸盤本体の形をキャラクター化し中央の突起部分を顔の鼻に見立て、アニマルや干支の顔をシルエット・デフォルメしてあることを特徴とする請求項１又は２記載のスマホ用のストラップ。
【考案の詳細な説明】
【技術分野】
【０００１】
本ストラップはテーブル上に吸盤で固定しスマホを直立させ写真撮影（セルフタイマー使用）ができる。メール作成時にパソコンと同じように画面を斜めに持ち上げ、キーボードを両手で入力できる。スマホ携帯を片手で固定しやすく持つことができ、片手でも親指と人差し指を使える。
【背景技術】
【０００２】
従来からの吸盤の特性を利用してスマホを固定することは知られている。特許文献１にはスマホの背面にめがね状のアダプターを設け、そこに指を通してスマホを固定する方法が開示されている。しかしながら、この方法ではめがね部分に指を通して固定するため、両手での入力を必要とし、また、めがね部分では固定して自立させることが出来ないため、スマホ用の自立スタンドとしては別途用意する必要があった。
【先行技術文献】
【特許文献】
【０００３】
【特許文献１】実案３１７５２２６２号公報
【考案の概要】
【考案が解決しようとする課題】
【０００４】
本ストラップは吸盤部分を指でつまむことによりスマホを簡単に固定し、また、写真撮影時にはストラップが三脚代わりに使用でき。スマホを操作する時、片手でメールや画面に対して指の動きが自由にできること。パソコンと同じように両手で入力できることを目的とするものである。
【課題を解決するための手段】
【０００５】
本ストラップで写真撮影時にはストラップをテーブルに固定し、吸盤中央の突起部分が開いてスマホを挟んで固定することでセルフタイマーの使用を可能にする。このストラップ・スマホ付属品ではスマホの裏に取り付けた吸盤中央の突起部分を指で挟んで固定し、画面の扱いをやりやすくすること。ストラップをスマホ裏に吸着してテーブル上では斜めに立ち上げ安定させ、両手による画面タッチや入力をやりやすくする。
【考案の効果】
【０００６】
本ストラップはスマホで写真撮影する際に内側のカメラでは画質が良くないことの欠点を考慮し、スマホのストラップをテーブルに固定し、吸盤中央突起部分のペンチみたいに挟み、スマホを直立させセルフタイマーを使い、きれいな画像で記念撮影できる。このストラップをスマホに装着して指で挟むことで安定し、自由に親指と人差し指が使え簡単に画面操作がしやすくミスタッチが少なくなり、落下の防止。スマホで画面操作する時にテーブル上でパソコンと同じ感覚で画面を斜めに立ち上げて、両手による入力を簡単にできる。
【図面の簡単な説明】
【０００７】
【図１】本スマホ付属品ストラップの吸着時の正面、真上、横からの平面図でスマホにつなげた状態の図面。
【図２】本スマホ付属品ストラップのスマホ裏に吸着した状態でサンプルのキャラクターのストラップ。
【図３】本スマホ付属品ストラップをテーブル上に吸着させ、スマホを吸盤中央の突起部分でスマホを挟み込み、スマホによる写真撮影（集合写真のセルフタイマー使用時）のために、直立させている。
【図４】本スマホ付属品ストラップを装着して、スマホ裏側の吸盤中央の突起部分を挟んでいる。
【図５】本スマホ付属品ストラップをテーブルの上で斜めに立てかけ、画面に入力操作したり画像を見ている。
【考案を実施するための形態】
【０００８】
ストラップはスマホの裏面に着脱可能であることのためにスマホ裏幅より小さくキャラクターの顔を持つ、指で挟める吸盤状のスマホ付属品は中央が指で挟みやすく突起部分の中ほどがくびれて指で挟みやすくい。吸盤中央の突起部分はスマホを挟むために中央が分離しており、写真撮影時の直立する時に挟み直立させることができる。ストラップとしてスマホと本品は吸着位置が自由であり、つなげる場所は変えられ斜めに画面を立てかけてパソコンと同じ感覚で入力操作ができる様に突起部分は指の太さより少し大きめな高さで角度は３０度ほどになる。
【実施例】
【０００９】
本ストラップ・スマホ付属品をテーブルに固定しスマホカメラを使用する時、三脚代わりに直立してセルフタイマーで集合写真を写すことができる。このストラップをスマホに装着してスマホ裏の突起部分を指で挟むと片手でスマホを固定して持つことができ、画面に入力や検索などの操作が親指と人差し指を同時に使うことができ画面タッチが安定し、落下防止になる。ストラップをスマホの裏に装着した状態でテーブル上に斜めに（中央の突起部分が支えになって）置いてパソコンと同じ感覚で入力したり、画面を見ることができる。    
【産業上の利用可能性】
【００１０】
本スマホで記念撮影時などストラップを三脚代わりにし、撮影が簡単にできるので、複数で盛り上がる。歩きながら操作する等の事故につながる問題が起きている昨今、このストラップは片手で持ちやすくすることからも、落下することなく、より安全で正確な入力ができる用途に用いることができる。
【図１】
0003188103.tif 000003
【図２】
0003188103.tif 000004
【図３】
0003188103.tif 000005
【図４】
0003188103.tif 000006
【図５】
0003188103.tif 000007
【手続補正書】
【提出日】平成25年10月18日(2013.10.18)
【手続補正１】
【補正対象書類名】図面
【補正対象項目名】図３
【補正方法】変更
【補正の内容】
【図３】
0003188103.tif 000008
【手続補正２】
【補正対象書類名】図面
【補正対象項目名】図５
【補正方法】変更
【補正の内容】
【図５】
0003188103.tif 000009
【手続補正３】
【補正対象書類名】実用新案登録請求の範囲
【補正対象項目名】請求項１
【補正方法】変更
【補正の内容】
【請求項１】
スマホの裏側に脱着可能な吸盤と、前記吸盤に接続された紐と
からなることを特徴とするスマホ用のストラップ。
【手続補正４】
【補正対象書類名】実用新案登録請求の範囲
【補正対象項目名】請求項２
【補正方法】変更
【補正の内容】
【請求項２】
前記吸盤の中央部には、中央に切り込みを有する突起を有することを特徴とする請求項１記載のスマホ用のストラップ。
(57)【要約】【課題】アンカーボルトやネジを取り付ける孔を穿った後、作業者の負担を軽減しつつ低コストで孔内を清掃することのできる孔内清掃用ブラシビットを提供する。【解決手段】棒状の支持部２と、支持部２の第一の端部で軸方向螺旋状に配列し且つ径方向に突出するように固定された多数の毛３と、径方向断面視で対称な正六角形をなし支持部２の第二の端部に支持部２と同心状に溶接されたシャンク部４とを備えることを特徴とし、シャンク部４を電動ドリル、電動ドライバーなどの電動工具のチャックに固定して用いられる。【選択図】図１
0003188142.tif 000002
【実用新案登録請求の範囲】
【請求項１】
棒状の支持部と、
支持部の第一の端部で軸方向螺旋状に配列し且つ径方向に突出するように固定された多数の毛と、
径方向断面視で対称な非円形をなし支持部の第二の端部に支持部と同心状に固定されたシャンク部と
を備えることを特徴とする孔内清掃用ブラシビット。
【請求項２】
前記非円形が正六角形であり、支持部に対するシャンク部の前記固定が溶接である請求項１に記載の孔内清掃用ブラシビット。
【考案の詳細な説明】
【技術分野】
【０００１】
この考案は、建築物、道路、トンネルなどの構造体に孔を穿った後、孔内に残る削り粉を除くために、電動ドリルや電動ドライバーの電動機本体に取り付けて用いられるブラシビットに関する。
【背景技術】
【０００２】
構造体にアンカーボルトやネジを取り付ける際、先ず電気ドリルで孔を穿ち、孔内に残る削り粉を除去した後、接着剤注入してアンカーボルトを挿入したり、ネジを埋め込んだりすることが行われている。そして、削り粉が孔内に残っていると、ボルトやネジが完全に入らなかったり、取り付け強度が不足したりするので、削り粉をできる限り孔から除去することが必要である。
従来、削り粉は、ブラシを孔内に挿入し、手でブラシを回転させながら往復動させることにより孔外に排出させていた。
【先行技術文献】
【非特許文献】
【０００３】
【非特許文献１】サンコーテクノ株式会社ホームページ＞製品カタログ＞アンカー＆ドリル総合カタログ＞電子ブックを開く＞第１０２ページ，[online]，２０１３年１０月９日検索，サンコーテクノ株式会社，インターネット<URL: http://www.sanko-techno.co.jp/>
【考案の概要】
【考案が解決しようとする課題】
【０００４】
しかし、一般に、穿孔、ネジ回しなど孔内清掃以外の作業はほとんど電動ドリル、電動ドライバーなどの電動工具を用いて行われるため、同一構造体に穿たれる孔の数が多い割に作業者の数は少ない。このためブラシによる削り粉の除去を全て手作業で行うとなると、作業者に相当な負担となる。かといって、孔内の清掃だけのために強力な吸引力を発揮する電気掃除機を工事現場に備えるのは、コスト増大につながる。
それ故、この考案の課題は、作業者の負担を軽減しつつ低コストで孔内を清掃することのできる孔内清掃用ブラシビットを提供することにある。
【課題を解決するための手段】
【０００５】
その課題を解決するために、この考案の孔内清掃用ブラシビット（以下、単に「ブラシビット」という。）は、
棒状の支持部と、
支持部の第一の端部で軸方向螺旋状に配列し且つ径方向に突出するように固定された多数の毛と、
径方向断面視で非円形をなし支持部の第二の端部に支持部と同心状に固定されたシャンク部と
を備えることを特徴とする。
【０００６】
このブラシビットは、シャンク部を電動工具のチャックに固定して用いられる。シャンク部が径方向断面視で対称な非円形をなしているので、電動工具の稼働とともにブラシビットが高速で自身の軸回りに回転する。そして、多数の毛が支持部の第一の端部すなわち先端部で軸方向螺旋状に配列し且つ径方向に突出するように固定されているので、削り粉が存在する孔内でブラシビットが回転すると、削り粉が孔の開口に向かって送り出されて除去される。
【０００７】
電動工具は、穿孔に用いる電動ドリルやネジ回しに用いる電動ドライバーであってよく、ブラシビット専用に改めて準備する必要は無い。特に、前記非円形が正六角形であると、既製のほとんどの電動工具でチャック可能であるので、好ましい。また、支持部に対するシャンク部の前記固定が溶接であると、使用中に支持部とシャンク部とが分離することがなく、安心して使用できる。
【考案の効果】
【０００８】
以上のように、この考案のブラシビットによれば、穿孔やネジ回しに用いるために元々工事現場に備えられている電動工具を利用して、電動機の力で孔内を清掃することができるので、低コストで作業者の負担を軽減することができる。
【図面の簡単な説明】
【０００９】
【図１】実施形態のブラシビットを示す正面図である。
【図２】実施形態のブラシビットを電動工具のチャックに固定した状態を示す正面図である。
【考案を実施するための形態】
【００１０】
以下、この考案を図面の実施形態に基づいて具体的に説明する。
実施形態のブラシビット１は、図１に示すように棒状の支持部２と、支持部２の一方の端部で軸方向螺旋状に配列し且つ径方向に突出するように固定された多数の毛３と、支持部２の他方の端部に溶接されたシャンク部４とからなる。
【００１１】
支持部２は、より合わせられて１本の棒状に形成された２本のワイヤ２ａ、２ｂからなる。毛３は、より合わせられる前に平行に置かれたワイヤ２ａ、２ｂ間に並べて配置され、ワイヤ２ａ、２ｂが捻られるに伴って螺旋を形成しながら突出した状態で固定される。シャンク部４は、径方向断面視で正六角形をなす。
【００１２】
ブラシビット１は、図２に示すように電動ドリルなどの既製の電動工具の本体５のチャックに固定して用いられる。電動工具本体５の稼働とともにブラシビット１が高速で自身の軸回りに回転する。そして、多数の毛３が支持部２の先端部で軸方向螺旋状に配列し且つ径方向に突出するように固定されているので、削り粉が存在する孔内でブラシビット１が回転すると、削り粉が孔の開口に向かって送り出されて除去される。電動工具本体５の力で孔内を清掃することができるので、低コストで作業者の負担を軽減することができる。
【符号の説明】
【００１３】
１  ブラシビット
２  支持部
３  毛
４  シャンク部
５  電動工具本体
【図１】
0003188142.tif 000003
【図２】
0003188142.tif 000004
(57)【要約】      （修正有）【課題】建物に設け地震などの際に建物自体を浮上させる免震装置を提供する。【解決手段】建物Ｂの基礎底盤１の上面に、建物Ｂと一体となって重なる基礎上盤２を設置し、基礎上盤２に設けた孔８上に遠心圧縮機構となる遠心ファン３を配置する。地震を感知したときに、遠心ファン３が回転して、基礎上盤２に設けた孔８から空気を基礎底盤１に吹き付けて、建物Ｂと一体となる基礎上盤２を浮き上がらせるようにする。免震装置を複数個、配置する。【選択図】図１
0003188114.tif 000002
【実用新案登録請求の範囲】
【請求項１】
建物の基礎底盤の上面に、建物と一体となって重なる基礎上盤を設置し、基礎上盤に設けた孔上に遠心圧縮機構を配置し、地震を感知したときに、遠心圧縮機構が回転して、基礎上盤に設けた孔から空気を基礎底盤に吹き付けて、前記建物と一体となる基礎上盤を浮き上がらせるようにしたことを特徴とする免震装置。
【請求項２】
請求項１記載の免震装置を複数個、配置したことを特徴とする複数型免震装置。
【考案の詳細な説明】
【技術分野】
【０００１】      この考案は、建物に設け、地震などの際に建物自体を浮上させる免震装置に関するものである。
【背景技術】
【０００２】      建物に設け、地震などの際に建物自体を浮上させるようにした免震装置がある。しかしたとえば下記する特許文献１の「エアーバック式免震装置」は、エアーバックを膨張して行うものであり、特許文献２の「空気圧浮動式免震装置」は、エアータンクに貯めた空気を使用するものであるが、それらは地震動を感知して一回使用されることによって、空気を補充するのに時間を要し、大地震の際、続いて起きる余震に対応することができないという欠点がある。
【先行技術文献】
【特許文献】
【０００３】
【特許文献１】  特開２００１−９００９１公開特許公報
【特許文献２】  実用新案登録第３１１９６７５号公報
【考案の概要】
【考案が解決しようとする課題】
【０００４】      この考案は、建物に設け、地震などの際に建物自体を浮上させる免震装置において、遠心圧縮機構、たとえば遠心ファンの圧縮空気を建物の基礎底盤に吹き付けて、基礎底盤から建物が載る基礎上盤を浮上させるようにした免震装置として、常に継続的、連続的に使用できる装置を得ることを目的とするものである。
【課題を解決するための手段】
【０００５】  建物Ｂの基礎底盤１の上面に、建物と一体となって重なる基礎上盤２を設置し、基礎上盤２に設けた孔８上に遠心ファン３を配置し、地震を感知したときに、遠心ファン３が回転して、基礎上盤２に設けた孔８から空気を基礎底盤１に吹き付けて、前記建物Ｂと一体となる基礎上盤２を浮き上がらせるようにしたことを特徴とする免震装置Ａ。
【考案の効果】
【０００６】      この考案は、建物に設け、地震などの際に建物自体を浮上させる免震装置において、遠心圧縮機構、たとえば遠心ファンの圧縮空気を建物の基台である基礎定盤に吹き付けて、建物を浮上させるようにした免震装置として、継続的、連続的に使用できる装置となるので余震対策としてとくに有効である。また風水害その他の災害における震・振動にも適用される。
【図面の簡単な説明】
【０００７】
【図１】この考案の免震装置の説明図である。
【考案を実施するための形態】
【０００８】
【実施例】
【０００９】      図１は、この考案の免震装置Ａの一実施例の断面図であって、図中Ｂは建物、１は基礎底盤、２は基礎上盤、３は遠心ファン（二個配置の例）、４は床、５は床下、６は支持木材、７はシール、８は基礎上盤２に設けた孔である。シール７は周囲において基礎底盤１と基礎上盤２の間に配置され、図示上方において固定され、下方が開放され空気が出るようになっているが、これは必要に応じて配置する。遠心ファン３は遠心圧縮機構の一例として上げたが、この遠心圧縮機構としてはは、ケーシング内で翼車を回し、空気を放射状に遠心力を利用して圧縮する機構で、各種の設計ができる。遠心ファン３は基礎上盤２に設けた孔８を覆って設置する。【００１０】      この遠心ファン３には、緊急地震速報、地震計などの有事の際、地震情報がもたらされるセンサー、配線、機器などが結線されており、その指令によって遠心ファン３は作動し、その際、建物基台２に設けた孔８から高圧の空気が基礎底盤１に向かって図示矢印のように噴出され、その反動で床４、床下５などが載った、建物基台２を浮かび上がらせる。それはあたかもホバークラフトにおいて、浮上ファンからの空気を船体の底面から吹き出し、その風圧によって船体を水面から浮上させるのに似ている。【００１１】    大地震の際には当初の地震に続いて、余震が発生することがしばしばであるが、遠心ファン３は常にその都度作動するので万全である。なお停電に備えて、別途、遠心ファン３の予備電源として自家発電装置、電池などを備える。建物の大きさに応じて遠心ファン３の数を、あるいはそのセットの数を、建物の周囲などに増加減、配置する。
【符号の説明】Ａ    免震装置
Ｂ    建物
１    基礎底盤
２    基礎上盤
３    遠心ファン
４    床
５    床下
６    支持木材
７    シール
８    孔
【図１】
0003188114.tif 000003
(57)【要約】      （修正有）【課題】収納の分野で家庭ごみを一時的にスーパー等のレジ袋で分別保管するためのゴミスタンドを提供する。【解決手段】ベース１とベースに脱着可能に構成され、上下に分割可能な左右一対のフレームを有し、フレームの上部側４，５に複数の袋掛け用のフックを有し、フレームの下部側２，３は、下端がカギ状に構成された取り付け脚をベースの側面の穴に差し込むことでベースに固定されることを特徴とする。【選択図】図４
0003188245.tif 000002
【実用新案登録請求の範囲】
【請求項１】
ベースと左上下フレーム及び右上下フレームで構成され、前記左右の上部フレームにフックを複数取り付け脚部を前記ベースの側面の穴に差込み、前記左右のフックに複数のスーパー等のレジ袋を引っ掛けて使用することが可能になる、また使用しない時や輸送時にはフレームを取り外しベースと重ねる事により小スペースが可能な分別ごみスタンド。
【考案の詳細な説明】
【技術分野】
【０００１】
本考案は収納の分野で家庭ごみを一時的にスーパー等のレジ袋で分別保管するためのごみスタンドに関するものである。
【背景技術】
【０００２】
従来から家庭用ごみを一時的にスーパー等のレジ袋で分別保管するごみスタンドがあった。
【考案の開示】
【考案が解決しようとする課題】
【０００３】
従来の物は家庭用ごみを一時的にスーパー等のレジ袋で分別保管するときにフレームが固定のため使用するときも使用しないときも同じ大スペースが必要である。
【課題を解決するための手段】
【０００４】
従来の物は家庭用ごみを一時的にスーパー等のレジ袋で分別保管するときにフレームが固定のため使用するときも使用しないときも同じ大スペースが必要である。
本考案は従来固定であったフレームをベースと左上下フレームおよび右上下フレームに分割し組立て型とし使用するときは工具不要のワンタッチで組立て、使用しないときは上記ベースおよび上記左右のフレームを分割して小スペースにすることを可能にした。
本考案はこれらの問題点を解決するために考案されたものである。
【考案の効果】
【０００５】
従来の物は家庭用ごみを一時的にスーパー等のレジ袋で分別保管するときにフレームが固定のため使用するときも使用しないときも同じ大スペースが必要であったが、フレームをベースと左上下部フレームおよび右上下部フレームに分割し組立て型とし、使用するときは工具不要のワンタッチで組立て、使用しないときは上記ベースおよび上記左右の上下部フレームを分割して小スペースにするこができる。
【図面の簡単な説明】
【０００６】
【図１】正面図
【図２】左側面図
【図３】右側面図
【図４】部品図
【図５】説明図
【図６】従来の物の図
【図７】本考案の図
【考案を実施するための最良の形態】
【０００７】
（図１）正面図
（図２）左側面図
（図３）右側面図
（図４）部品図
（図５）説明図
（図６）従来の物の図
（図７）本考案の図
（図１〜図４）の符号
１ベース
２左上部フレーム
３右上部フレーム
４左下部フレーム
５右下部フレーム
６キャスター受け
７キャスター
【符号の説明】
【０００８】
１ベース
２左上部フレーム
３右上部フレーム
４左下部フレーム
５右下部フレーム
６キャスター受け
７キャスター
【図１】
0003188245.tif 000003
【図２】
0003188245.tif 000004
【図３】
0003188245.tif 000005
【図４】
0003188245.tif 000006
【図６】
0003188245.tif 000007
【図５】
0003188245.tif 000008
【図７】
0003188245.tif 000009
【手続補正書】
【提出日】平成25年10月28日(2013.10.28)
【手続補正１】
【補正対象書類名】実用新案登録請求の範囲
【補正対象項目名】全文
【補正方法】変更
【補正の内容】
【実用新案登録請求の範囲】
【請求項１】
ベースと前記ベースに脱着可能に構成され、上下に分割可能な左右一対のフレームを有し、前記フレームの上部側に複数の袋掛け用のフックを有し、前記フレームの下部側は、下端がカギ状に構成された取り付け脚を前記ベースの側面の穴に差し込むことでベースに固定されることを特徴としたゴミスタンド。
(57)【要約】      （修正有）【課題】演奏者の視点と発弦を行う手の移動の範囲を特定の範囲内にとどめて指示書上の演奏位置を見失うことなく演奏できる発弦のタイミングを示す指示書つきの回転式ハーブを提供する。【解決手段】本体に弦の留め具２を使用して複数の弦１を配置し、本体の内部あるいは外部に本体を回転させるための機構を備え、弦が張られた面３に対してほぼ垂直な軸４を中心として回転できるようにし、発弦のタイミングを示す指示書６を弦の下であって本体の表面あるいは本体内部に設置する。演奏時に本体を回転させ、発弦の対象となる弦を、演奏者の視点と発弦を行う手の位置に移動させることで、視点と手の移動を特定の範囲内にとどめて演奏させる。【選択図】図１
0003188244.tif 000002
【実用新案登録請求の範囲】
【請求項１】
本体に複数の弦を配置し、本体の内部あるいは外部に本体を回転させるための機構を備え、発弦のタイミングを示す指示書を本体の回転面あるいは本体内部に設置することを特徴とした弦楽器。
【考案の詳細な説明】
【技術分野】
【０００１】本考案は発弦のタイミングを示す指示書つき回転式ハープに関するものである。
【背景技術】
【０００２】従来のヘルマンハープでは、楽譜に相当する発弦の対象となる弦と発弦のタイミングを示す指示書が平行に配置された弦と楽器本体の間に置かれており、演奏者は演奏時に指示書に従って発弦のための指を発弦の対象として指定された弦の位置に移動させることにより演奏を行っている。
【先行技術文献】
【非特許文献】
【０００３】
【非特許文献１】「ヘルマンハープの奏法  基礎編」（日本ヘルマンハープ協会公認テキスト），梶原千沙都著
【考案の概要】
【考案が解決しようとする課題】
【０００４】従来のヘルマンハープでは、各弦が楽器上の特定の位置に固定されているため、演奏者は、弦と楽器本体の間に置かれた発弦の対象となる弦と発弦のタイミングを示す指示書に従い、視点と発弦を行う手を指定された弦の位置に移動させる必要がある。視点と発弦を行う手の位置の移動が必要なため、演奏者は演奏中に指示書上の演奏位置を見失わないように注意する必要がある。本考案の課題は、演奏者の視点と発弦を行う手の移動の範囲を特定の範囲内にとどめ、指示書上の演奏位置を見失いにくくすることである。
【課題を解決するための手段】
【０００５】複数の弦を配置した本体の上、あるいは内部に発弦のタイミングを示す指示書を置き、本体の内部、あるいは外部に設けた回転機構によって演奏時に本体を回転させることにより発弦の対象となる弦を演奏者の視点と発弦を行う手の位置に移動させることにより、演奏者の視点と発弦を行う手の移動の範囲を特定の範囲内にとどめて演奏することが可能となる。
【考案の効果】
【０００６】    本考案では、演奏中に演奏者の視点と発弦を行う手の移動の範囲が特定の範囲内に収まるため、演奏者が指示書上の演奏位置を見失う危険性が軽減される。
【図面の簡単な説明】
【０００７】
【図１】発弦のタイミングを示す指示書を配置した後の楽器本体の正面図である。
【図２】発弦のタイミングを示す指示書を配置する前の楽器本体の正面図である。
【図３】発弦のタイミングを示す指示書の正面図である。
【図４】本考案の背面からの斜視図と、回転板と回転台を分離した状態の背面からの斜視図である。
【図５】本考案の断面図である。
【考案を実施するための形態】
【０００８】以下、本考案を実施するための形態について説明する。
回転板の上にペグやチューニングピン等の弦の留め具を使用して複数の弦を張る。
弦の数や長さ、回転の中心と弦との間の角度に制約は設けないため、弦の配置は放射状から多角形の形状に至るまで任意の形状が可能である。回転板の形状も制約は設けないため、円形、楕円形、多角形の形状など、任意の形状が可能である。
回転板の下に回転台を設置する、あるいは回転板の上部と下部が独立して回転する等の方法で、回転板を容易に回転させることを可能にする回転機構を本体外部あるいは本体内部に設ける。回転板を回転可能とする機構の実現方法については制約を設けない。
回転板と各弦との間にできる隙間、あるいは回転板内部に設けた隙間等に、楽譜に相当する発弦のタイミングを示す指示書を挿入し、回転板の正面から見通せるように配置する。
演奏者は視点と発弦のための手を特定の範囲内に保ちつつ、発弦のタイミングを示す指示書に従い回転板を回転させながら演奏を行う。
【産業上の利用可能性】
【０００９】楽譜が読めない、指示書上の演奏位置を把握しながら演奏することが難しいなど、認知能力が低い者でも演奏できるため音楽療法分野への利用が期待できる。
【符号の説明】
【００１０】１  弦
２  弦の留め具
３  回転板
４  回転の中心
５  回転台
６  発弦のタイミングを示す指示書
７  発弦のタイミングを示す指示書に書かれた線および記号の例
【図１】
0003188244.tif 000003
【図２】
0003188244.tif 000004
【図３】
0003188244.tif 000005
【図４】
0003188244.tif 000006
【図５】
0003188244.tif 000007
【手続補正書】
【提出日】平成25年10月23日(2013.10.23)
【手続補正１】
【補正対象書類名】実用新案登録請求の範囲
【補正対象項目名】全文
【補正方法】変更
【補正の内容】
【実用新案登録請求の範囲】
【請求項１】
本体に弦の留め具を使用して複数の弦を配置し、本体の内部あるいは外部に本体を回転させるための機構を備え、弦が張られた面に対してほぼ垂直な軸を中心として回転できるようにし、発弦のタイミングを示す指示書を弦の下であって本体の表面あるいは本体内部に設置することを特徴とした発弦のタイミングを示す指示書つき回転式ハープ。
【手続補正２】
【補正対象書類名】明細書
【補正対象項目名】０００２
【補正方法】変更
【補正の内容】
【０００２】従来のヘルマンハープ（登録商標）では、楽譜に相当する発弦の対象となる弦と発弦のタイミングを示す指示書が平行に配置された弦と楽器本体の間に置かれており、演奏者は演奏時に指示書に従って発弦のための指を発弦の対象として指定された弦の位置に移動させることにより演奏を行っている。
【手続補正３】
【補正対象書類名】明細書
【補正対象項目名】０００４
【補正方法】変更
【補正の内容】
【０００４】従来のヘルマンハープ（登録商標）では、各弦が楽器上の特定の位置に固定されているため、演奏者は、弦と楽器本体の間に置かれた発弦の対象となる弦と発弦のタイミングを示す指示書に従い、視点と発弦を行う手を指定された弦の位置に移動させる必要がある。視点と発弦を行う手の位置の移動が必要なため、演奏者は演奏中に指示書上の演奏位置を見失わないように注意する必要がある。本考案の課題は、演奏者の視点と発弦を行う手の移動の範囲を特定の範囲内にとどめ、指示書上の演奏位置を見失いにくくすることである。